(57)【特許請求の範囲】
【請求項１】
データ通信可能に接続された複数の携帯型端末装置と検索装置とを備えた情報提供依頼システムにおいて、
前記携帯型端末装置は、事象に関する画像を、撮影された場所の位置情報及び撮影された時刻の時刻情報と共に記憶する記憶媒体を備え、
前記検索装置は、
事象について予め定められてある区分毎に、情報提供の可否を前記複数の携帯型端末装置毎に事前に登録しておく手段と、
事象が発生した場合、該事象が発生した場所の位置情報及び事象が発生した時刻の時刻情報を含む事象情報を取得する手段と、
前記事象の区分を判別する手段と、
該手段が判別した区分について情報提供可が登録してある１又は複数の携帯型端末装置を抽出する手段と、
前記事象情報に基づき、抽出された携帯型端末装置から、前記事象に関する画像を記憶している携帯型端末装置を検索する検索手段と、
該検索手段が検索した携帯型端末装置へ情報提供依頼を通知する通知手段と
を備えていること
を特徴とする情報提供依頼システム。
【請求項２】
前記検索手段は更に、前記事象が発生した時刻に前記事象が発生した場所に存在した携帯型端末装置のみを検索する手段を備えること
を特徴とする請求項１に記載の情報提供依頼システム。
【請求項３】
前記検索装置は、抽出された複数の携帯型端末装置へ前記事象情報と共に検索要求を送信する手段を備え、
前記携帯型端末装置は、
前記検索装置から検索要求を受信することにより前記事象情報を取得する手段と、
取得した事象情報に対応する情報を自身の記憶媒体から検索する手段と、
検索結果を送信する手段と
を備え、
前記検索装置は更に、
前記携帯型端末装置から検索結果を受け付ける手段を備え、
前記検索手段は、受け付けた検索結果に基づいて前記事象に関する情報を記憶している携帯型端末装置を検索するようにしてあること
を特徴とする請求項１又は２に記載の情報提供依頼システム。
【請求項４】
検索装置により検索された複数の携帯型端末装置へ情報提供依頼を通知する情報提供依頼方法において、
前記検索装置は、
事象について予め定められてある区分毎に、情報提供の可否を前記複数の携帯型端末装置毎に事前に登録しておき、
事象が発生した場合、該事象が発生した場所の位置情報及び事象が発生した時刻の時刻情報を含む事象情報を取得し、
前記事象の区分を判別し、
判別した区分について情報提供可が登録してある１又は複数の携帯型端末装置を抽出し、
前記事象情報に基づき、抽出した携帯型端末装置から、前記事象に関する画像を記憶している携帯型端末装置を検索し、
前記検索装置が検索した携帯型端末装置へ情報提供依頼を通知する
ことを特徴とする情報提供依頼方法。
【発明の詳細な説明】
【技術分野】
【０００１】
本発明は、火災、事件、事故等の事象が発生した場合、発生した事象の位置情報及び時刻情報に基づいて、事象が発生した時刻に現場に存在した携帯型端末装置を検索し、情報提供依頼メールを送信する情報提供依頼システムに関する。特に、発生した事象に関して有用な情報が実際に記憶されている可能性がより高い装置を検索することができる検索装置を利用した情報提供依頼システム及び情報提供依頼方法に関する。
【背景技術】
【０００２】
携帯電話機、ＰＤＡ（Personal Digital Assistant）等の通信機能を有する携帯型端末装置が多数普及している。更に記憶装置の小型化、軽量化により、携帯型端末装置にはカメラ、マイクロフォン（マイク）等の装置が備えられ、カメラで撮像した静止画像、動画像等の画像データ及びマイクで集音された音声データを記憶することが可能である。
【０００３】
このように携帯型端末装置に、カメラ、マイクにより撮像、集音されたデータを記憶することができることから、予測不可能な事象を捉えたデータ、又は他人にとっては有用となるデータの提供を携帯型端末装置を所持するユーザに依頼する情報提供依頼サービスが実現されている。情報提供依頼に応じた一般ユーザが携帯電話機のカメラで撮像した画像が、新聞、出版物に掲載される場合、及びテレビ放映がされる場合がある。
【０００４】
従来の情報提供依頼サービスでは、火災、地震等の災害、交通事故等の事件、珍しい動物の発見等の事象が発生した場合に、不特定多数のユーザ、又は事前に情報提供が可能であることが登録されたユーザが所持する携帯型端末装置へ情報提供依頼メールが送信される。これにより、その事象に関するデータが必要とされていることをユーザが認識し、そのようなデータを所有しているユーザから有用な情報が提供される可能性がある。
【０００５】
しかしながら、この場合、多数のユーザに情報提供依頼メールが送信されるので、通信量が多くコストが無視できない。また、情報提供依頼メールを受信するユーザにとっても、事象が自身に関係ない場合には、情報提供依頼メールの受信は煩わしいと感じられる可能性もある。
【０００６】
したがって、情報提供依頼メールの送信先の携帯型通信装置は、ある程度絞り込まれることが望ましい。そこで、事象が発生した時刻に、事象が発生した場所に存在した履歴を有する携帯型端末装置に絞り込むことによって、より有用な情報を有している可能性の高いユーザのみに情報提供依頼メールを送信することが可能である。
【０００７】
場所及び時刻による絞りこみは、携帯型端末装置に対応する位置情報を取得することによって実現することが可能である。
【０００８】
特許文献１には、携帯型端末装置が近距離無線通信を行なうことにより、周辺に存在する固定型及び移動型の通信機器の情報を収集し、緊急通先への発呼が実行されたときに、収集した周辺の通信機器の情報を共に送信する技術が開示されている。これにより、事象が発生した場合に通報元の携帯型端末装置の周辺に存在した固定型の通信機器の位置情報から、事象の位置情報を的確に判断することができると共に、事象が発生した時刻に事象が発生した場所周辺に存在した移動型の通信機器の所有者情報から、周辺に居た可能性の高い目撃者等を特定することが可能である。
【０００９】
また、特許文献２には、事前にユーザに希望の地域範囲を登録させておき、事象が発生した場合に、発生した場所と事前に登録されてある地域範囲との距離を計算して、距離が条件を満たすユーザを抽出し、抽出されたユーザへその事象についてのメールを送信する技術が開示されている。これにより、事象が発生した場合に当該事象についての地域密着型の情報を希望するユーザのみに情報をメールにて送信することが可能である。
【特許文献１】特開２００３−２８９４００号公報
【特許文献２】特開２００６−５９０５１号公報
【発明の開示】
【発明が解決しようとする課題】
【００１０】
特許文献１及び２に記載されている技術を利用することにより、事象が発生した時刻及び事象が発生した場所との対応から、事象が発生した時刻に、事象が発生した場所の周辺に存在した携帯型端末装置を絞り込むことができ、有用な情報を有している可能性の高いユーザに情報提供依頼メールを送信することが可能である。
【００１１】
しかしながら、事象が発生した時刻及び現場に存在した携帯型端末装置を所持しているユーザが、実際に有用な情報を有しているか否かは不明である。有用な情報を有している可能性がより高いユーザに絞って情報提供依頼を通知することが望ましい。また、事象が発生した時刻及び現場に存在したという記録がない場合であっても、有用な情報を記憶している可能性も有る。
【００１２】
本発明は斯かる事情に鑑みてなされたものであり、事象が発生した時刻及び場所を示す情報に基づいて実際に事象に関する情報を記録している外部装置（携帯型端末装置）を検索する構成とすることにより、有用な情報を記憶している可能性が高い外部装置を検索することができる検索装置を利用した情報提供依頼システム及び情報提供依頼方法を提供することを目的とする。
【００１４】
本発明の他の目的は、有用な情報を記憶している外部装置を検索するに際し、実際に記憶されている情報自体を取得することなしに、外部装置自身で検索させる構成とすることにより、検索処理の負荷を軽減させて実際に有用な情報を記憶している外部装置を検索することができる検索装置を利用した情報提供依頼システムを提供することにある。
【課題を解決するための手段】
【００１７】
本発明に係る情報提供依頼システムは、データ通信可能に接続された複数の携帯型端末装置と検索装置とを備えた情報提供依頼システムにおいて、前記携帯型端末装置は、事象に関する画像を、撮影された場所の位置情報及び撮影された時刻の時刻情報と共に記憶する記憶媒体を備え、前記検索装置は、事象について予め定められてある区分毎に、情報提供の可否を前記複数の携帯型端末装置毎に事前に登録しておく手段と、事象が発生した場合、該事象が発生した場所の位置情報及び事象が発生した時刻の時刻情報を含む事象情報を取得する手段と、前記事象の区分を判別する手段と、該手段が判別した区分について情報提供可が登録してある１又は複数の携帯型端末装置を抽出する手段と、前記事象情報に基づき、抽出された携帯型端末装置から、前記事象に関する画像を記憶している携帯型端末装置を検索する検索手段と、該検索手段が検索した携帯型端末装置へ情報提供依頼を通知する通知手段とを備えていることを特徴とする。
また、本発明に係る情報提供依頼システムは、前記検索手段は更に、前記事象が発生した時刻に前記事象が発生した場所に存在した携帯型端末装置のみを検索する手段を備えることを特徴とする。
【００１８】
本発明に係る情報提供依頼システムは、前記検索装置は、抽出された複数の携帯型端末装置へ前記事象情報と共に検索要求を送信する手段を備え、前記携帯型端末装置は、前記検索装置から検索要求を受信することにより前記事象情報を取得する手段と、取得した事象情報に対応する情報を自身の記憶媒体から検索する手段と、検索結果を送信する手段とを備え、前記検索装置は更に、前記携帯型端末装置から検索結果を受け付ける手段を備え、前記検索手段は、受け付けた検索結果に基づいて前記事象に関する情報を記憶している携帯型端末装置を検索するようにしてあることを特徴とする。
【００１９】
本発明に係る情報提供依頼方法は、検索装置により検索された複数の携帯型端末装置へ情報提供依頼を通知する情報提供依頼方法において、前記検索装置は、事象について予め定められてある区分毎に、情報提供の可否を前記複数の携帯型端末装置毎に事前に登録しておき、事象が発生した場合、該事象が発生した場所の位置情報及び事象が発生した時刻の時刻情報を含む事象情報を取得し、前記事象の区分を判別し、判別した区分について情報提供可が登録してある１又は複数の携帯型端末装置を抽出し、前記事象情報に基づき、抽出した携帯型端末装置から、前記事象に関する画像を記憶している携帯型端末装置を検索し、前記検索装置が検索した携帯型端末装置へ情報提供依頼を通知することを特徴とする。
【００２０】
本発明にあっては、事象が発生した場合、前記事象に関する画像を記憶している携帯型端末装置が検索される。発生した事象に関する情報についての情報提供依頼が通知される場合には、事前に当該事象について設定してある区分に応じて予め情報提供可が登録されている携帯型端末装置から、実際に画像を記憶している携帯型端末装置が選別され、当該携帯型端末装置へ通知される。
【００２１】
本発明にあっては、事象が発生した時刻の近傍及び事象が発生した場所の周辺に存在した携帯型端末装置のみが抽出され、抽出された携帯型端末装置について前記事象に関する情報を記憶しているか否かの判断がされることにより、携帯型端末装置が検索される。
【００２２】
本発明にあっては、事象が発生し、前記事象に関する情報を記憶している携帯型端末装置が検索されるに際し、携帯型端末装置へ検索要求が送信されて携帯型端末装置自身で検索が行なわれ、検索結果に基づいて携帯型端末装置が抽出される。
【発明の効果】
【００２３】
本発明による場合、事象が発生した場合に、事前に事象について情報提供可と登録してある携帯型端末装置から、実際に事象に関する画像を記憶している携帯型端末装置を検索するので、有用な情報を記憶している可能性がより高い携帯型端末装置を検索することができる。
【００２４】
本発明による場合、事前に区分毎に情報提供可と登録してあり、且つ、有用な情報を記憶している可能性がより高い携帯型端末装置のみに情報提供依頼を通知することができる。これにより、情報提供依頼を通知する先が絞り込まれ、情報提供依頼を通知する際の通信量も少なく済む。また、ユーザも有用な情報を提供できる可能性が低い事象についての情報提供依頼の通知を受けずに済む。
【００２５】
本発明による場合、事象が発生した時刻の近傍及び事象が発生した場所の周辺に存在したとして抽出された携帯型端末装置が夫々、実際に関連する情報を記憶しているか否かの条件に基づいて検索される。事象が発生した時刻の近傍、及び事象が発生した場所の周辺に存在したか否かの情報が存在しない場合でも、実際に情報が記憶されている携帯型端末装置は存在するが、有用な情報を記憶している可能性が高い携帯型端末装置に絞って検索することが可能である。
【００２６】
本発明による場合、検索装置は実際に記憶されている情報自体を取得することなしに、情報の検索処理は携帯型端末装置自身で行なうので、検索処理の負荷を軽減させることができる。また、携帯型端末装置は大部分が個人が所有するものであり、記憶されているデータは個人的なデータであることから不要に検索装置でデータを収集せずに検索処理を実行することができる。
【発明を実施するための最良の形態】
【００２７】
以下本発明をその実施の形態を示す図面に基づき具体的に説明する。なお、以下に示す実施の形態では、本発明に係る検索装置を利用し、有用な情報を有している可能性の高いユーザに絞って情報提供依頼を行なうことを実現する情報提供依頼システムを例に挙げて説明する。
【００２８】
＜１．システム概要＞
図１は、本実施の形態における情報提供依頼システムの概要を示す模式図である。情報提供依頼システムは、サービスセンタ１と、携帯型端末装置２ａ，２ｂ，２ｃ，２ｄ，２ｅ，２ｆと、情報提供依頼装置３とを含んで構成される。サービスセンタ１は、情報提供依頼サービスを含む各種通信事業サービスを実現するための各種サーバ群によって構成されており、通信事業者によって管理される。携帯型端末装置２ａ，２ｂ，２ｃ，２ｄ，２ｅ，２ｆは携帯電話機、ＰＤＡ（Personal Digital Assistant）等の通信機能を有する端末装置であり、各エリアにおけるアクセスポイントＡＰ１，ＡＰ２，ＡＰ３との間で通信することにより、サービスセンタ１とネットワークＮ１を介して通信することが可能である。また、携帯型端末装置２ａ，２ｂ，２ｃ，２ｄ，２ｅ，２ｆは情報提供者となるユーザによって携帯される。情報提供依頼装置３は、ＰＣ（Personal Computer）で構成され、サービスセンタ１とインターネット等であるネットワークＮ２を介して接続されている。情報提供依頼装置３は、ユーザからの情報提供を必要とする新聞社、出版社等の情報提供依頼者によって管理される。
【００２９】
情報提供依頼サービスは、事前にサービスに参加することが登録されたユーザ各人が個人的に収集した災害、事件、事故等の事象を静止画像、動画像、音声、文書等のデータに捉えた場合に、それを必要とする提供依頼者へ提供することを支援するサービスである。
【００３０】
例えば、図１の模式図に示すようにエリアＡ３で火災が発生した場合、新聞社、出版社でその火災現場での写真を利用するため、携帯型端末装置２ｅのカメラ機能で当該火災現場の静止画像又は動画像を撮像したユーザからの情報提供が必要であるときがある。この際、事前に情報提供依頼サービスに参加することが登録されたユーザ全員の携帯型端末装置２ａ，２ｂ，２ｃ，２ｄ，２ｅ，２ｆへ情報提供依頼メールを送信するよりも、実際に携帯型端末装置２ｅで写真を撮像したユーザのみに情報提供依頼メールを送信することにより、情報提供依頼者及びユーザにとって効率的であるのみならず通信量も少なく済み、不特定多数のユーザから不要な情報が提供される可能性も低くなる。
【００３１】
そこで、事象が発生し、情報提供依頼者から提供依頼装置３を介してサービスセンタ１で情報提供の依頼を受け付けられた場合、サービスセンタ１において、携帯型端末装置２ａ，２ｂ，２ｃ，２ｄ，２ｅ，２ｆの内から、実際に事象に関する画像、音声、文書等のデータが記録されている携帯型端末装置２ｅが抽出される。なお、本実施の形態では、事象が発生した場所の位置情報、事象が発生した時点の時刻情報に基づき、事象が発生した時刻に現場周辺に存在した可能性が高い携帯型端末装置２ｅ，２ｆを予め抽出しておき、抽出された携帯型端末装置２ｅ，２ｆの内から、実際にデータが記憶されている携帯型端末装置２ｅが抽出される。そして、実際に有用な情報が記録されている可能性が高い携帯型端末装置２ｅのみに情報提供依頼メールが送信される。これにより、情報提供依頼サービスに参加しているユーザ、及び事象に関する情報の提供を必要とする情報提供依頼者双方にとって効率的で利便性の高いシステムを実現することが可能である。
【００３２】
＜２．システム内部構成＞
以下に、このような情報提供依頼システムを実現するための各構成について詳細を説明する。図２は、本実施の形態における情報提供依頼システムを構成するサービスセンタ１の構成を示すブロック図である。
【００３３】
＜２−１．サービスセンタ＞
サービスセンタ１は、情報提供依頼サービスを含む各種サービスを実現するためのサーバ装置群によって構成されている。各種サーバ装置群は、情報の提供が依頼されている事象についての内容、情報提供の有無等を含む事象情報を管理し、更に情報提供依頼に対応するユーザの携帯端末装置２ａ，２ｂ，２ｃ，２ｄ，２ｅ，２ｆを検索する機能を有する事象情報管理装置１１を含んで構成されている。各種サーバ装置群は更に、携帯型端末装置２ａ，２ｂ，２ｃ，２ｄ，２ｅ，２ｆの在圏情報を管理する在圏情報管理装置１２を含む。また、ユーザが携帯する携帯型端末装置２ａ，２ｂ，２ｃ，２ｄ，２ｅ，２ｆにおけるメールの送受信を実現するメールサーバ装置１３と、携帯型端末装置２ａ，２ｂ，２ｃ，２ｄ，２ｅ，２ｆ及び情報提供依頼装置３へのＷｅｂサービスを実現するＷｅｂサーバ装置１４とを含む。
【００３４】
事象情報管理装置１１及び在圏情報管理装置１２は、サービスバス１５により接続されている。事象情報管理装置１１及び在圏情報管理装置１２は、サービスバス１５を介してファイアーウォール（Ｆ／Ｗ：Fire Wall）装置１６に接続されており、ファイアーウォール装置１６はメールサーバ装置１３及びＷｅｂサーバ装置１４にも接続されている。
【００３５】
サービスセンタ１を構成する各装置は、各機能毎に応じて処理を行ない、情報提供依頼サービスシステムを構成するだけでなく夫々、他に料金管理システム、位置情報提供システム等の各種システムを構成するサーバ装置としても動作するように汎用的に設計されており、ＳＯＡ（Service Oriented Architecture：サービス志向アーキテクチャ）と呼ばれる構成によって実現されている。このような構成とすることにより、例えばサービスの規模を拡大する必要がある場合、又は、新しいサービスを実現する場合であっても、サービスセンタ１全体を構築し直すことなしに、例えば増強すべき機能を実現する装置、新しいサービスを実現する装置を増設し、既存の装置が処理するデータを共有して対応することができる等の利点を有する。
【００３６】
事象情報管理装置１１は、各構成部を制御するＣＰＵ（Central Processing Unit）を利用した制御部１１０と、ＤＲＡＭ（Dynamic Random Access Memory）、ＳＲＡＭ（Static Random Access Memory）等の揮発性メモリを利用した一時記憶領域１１１と、ハードディスク（ＨＤ：Hard Disk）を利用した各種情報が記憶される記憶部１１２と、サービスセンタ１を構成する他の装置との通信を実現する通信部１１３とを備える。
【００３７】
事象情報管理装置１１の制御部１１０は、記憶部１１２に記憶されている制御プログラム１１Ｐを一時記憶領域１１１に読み出して実行することにより、サーバコンピュータ装置を事象情報管理装置１１として動作させる。一時記憶領域１１１には、上述のように制御プログラム１１Ｐが読み出されると共に、事象情報管理装置１１の制御部１１０の処理によって発生する各種情報が一時的に記憶される。
【００３８】
記憶部１１２には、情報提供依頼が受け付けられた場合の事象の内容、提供を希望する情報の内容を含む事象情報のテーブル、並びに、情報提供依頼サービスに参加が登録されたユーザのユーザＩＤ、情報提供可能な事象の種類及びレベルを対応付けてあるユーザ情報のテーブルを含む事象情報ＤＢ１１４が記憶されている。更に事象情報ＤＢ１１４には、情報提供の有無、支払われた対価の額が含まれる実績情報のテーブルが含まれる。
【００３９】
通信部１１３は、サービスセンタ１を構成する各装置間を接続するサービスバス１５内における通信を実現する。制御部１１０は、通信部１１３によりメールサーバ装置１３、Ｗｅｂサーバ装置１４で受け付けられたユーザ情報を取得することが可能である。また、制御部１１０は通信部１１３により、在圏情報管理装置１２から在圏情報を取得することが可能である。
【００４０】
制御部１１０は、記憶部１１２の事象情報ＤＢ１１４に記憶される事象情報、ユーザ情報及び実績情報の読み出し、書き込みを行なう。更に制御部１１０は、記憶部１１２の事象情報ＤＢ１１４及び在圏情報管理装置１２から取得可能な在圏情報に基づいて、情報提供依頼に対応する情報を記憶している携帯型端末装置２ａ，２ｂ，２ｃ，２ｄ，２ｅ，２ｆを検索する。
【００４１】
在圏情報管理装置１２には、携帯型端末装置２ａ，２ｂ，２ｃ，２ｄ，２ｅ，２ｆが存在するエリアＡ１，Ａ２，Ａ３、及び過去に存在したエリアＡ１，Ａ２，Ａ３を示す在圏情報をデータベース化した在圏情報ＤＢ１２１が記憶されている。在圏情報には、一定時間毎に取得される携帯型端末装置２ａ，２ｂ，２ｃ，２ｄ，２ｅ，２ｆの位置をＧＰＳ（Global Positioning System）機能により測定した位置情報が含まれてもよい。在圏情報管理装置１２は、サービスバス１５に接続されており、携帯型端末装置２ａ，２ｂ，２ｃ，２ｄ，２ｅ，２ｆ、アクセスポイントＡＰ１，ＡＰ２，ＡＰ３から送信される夫々の位置情報、在圏情報を取得することが可能である。
【００４２】
メールサーバ装置１３は、携帯型端末装置２ａ，２ｂ，２ｃ，２ｄ，２ｅ，２ｆ間のメールの送受信を実現するメールサーバ機能を有している。また、メールサーバ装置１３は、サービスセンタ１を構成する他の装置から自動的に送信されたメールを宛先の携帯型端末装置２ａ，２ｂ，２ｃ，２ｄ，２ｅ，２ｆのいずれかへ送信する。さらに、メールサーバ装置１３は、情報提供依頼サービスへの参加を登録するためのユーザ情報を含むユーザ情報登録メールを受信し、事象情報管理装置１１へ送信する。
【００４３】
Ｗｅｂサーバ装置１４は、サービスセンタ１のインタフェースとしてＷｅｂサービスを実現するＷｅｂサーバ機能を有している。Ｗｅｂサーバ装置１４は、情報提供依頼サービスへ参加するためのユーザ情報の登録を受け付けるＷｅｂページ、及び、情報提供依頼者による情報提供依頼内容の登録を受け付けるＷｅｂページを作成して携帯型端末装置２ａ，２ｂ，２ｃ，２ｄ，２ｅ，２ｆ又は情報提供依頼装置３からの情報の入力を可能とする。また、Ｗｅｂサーバ装置１４は、サービスセンタ１を構成する他の装置における処理結果、例えば有用な情報を記憶している可能性の高い携帯型端末装置２ａ，２ｂ，２ｃ，２ｄ，２ｅ，２ｆの検索結果を、情報提供依頼装置３から情報提供依頼者が閲覧することを可能とする。
【００４４】
本実施の形態では、ユーザは夫々携帯型端末装置２ａ，２ｂ，２ｃ，２ｄ，２ｅ，２ｆを利用してユーザ情報登録メールを送信するか、又は携帯型端末装置２ａ，２ｂ，２ｃ，２ｄ，２ｅ，２ｆを利用してＷｅｂサーバ装置１４で作成されるＷｅｂページに各種情報を入力することにより、情報提供依頼サービスへのユーザ情報の登録を行なうことが可能である構成とする。
【００４５】
同様に、情報提供依頼者は、情報提供依頼装置３を利用して依頼内容登録メールを送信するか、又は情報提供依頼装置３を利用してＷｅｂサーバ装置１４で作成されるＷｅｂページに事象の内容、事象の種別を含む事象情報を入力することにより、情報提供依頼サービスに、情報提供を必要とする事象についての内容の登録を行なうことが可能である構成とする。
【００４６】
＜２−２．携帯型端末装置＞
図３は、本実施の形態における情報提供依頼システムを構成する携帯型端末装置２ａの内部構成を示すブロック図である。携帯型端末装置２ｂ，２ｃ，２ｄ，２ｅ，２ｆの内部構成は、携帯型端末装置２ａの内部構成と同様であるので詳細な説明を省略する。
【００４７】
携帯型端末装置２ａは、以下に示す各構成部を制御するＣＰＵを利用した制御部２０と、ＤＲＡＭ、ＳＲＡＭ等の揮発性メモリを利用した一時記憶領域２１と、ＥＥＰＲＯＭ（Electrically Erasable Programmable Read Only Memory）等の不揮発性メモリを利用した記憶部２２と、数字キー、カーソルボタン等を含む操作部２３と、液晶パネルを利用した表示部２４と、レンズ群及び撮像素子を含む撮像部２５と、マイクロフォン（マイク）を含む集音部２６と、無線通信を実現するアンテナ部２７と、ＧＰＳ衛星からの信号を受信するＧＰＳ受信部２８とを備える。
【００４８】
携帯型端末装置２ａの制御部２０は、記憶部２２に記憶されている制御プログラム２Ｐを一時記憶領域２１に読み出して実行することにより、以下に説明する各機能を実現する。
【００４９】
一時記憶領域２１には、上述のように制御プログラム２Ｐが読み出されると共に、制御部２０の処理によって発生する各種情報が一時的に記憶される。
【００５０】
記憶部２２には、上述の制御プログラム２Ｐが記憶されている。また、記憶部２２には後述の撮像部２５、集音部２６により取得された静止画像、動画像、音声のデータが記憶される。
【００５１】
操作部２３は、ユーザの操作を受け付けるインタフェースであり、数字キー、カーソルボタン、決定ボタン、アプリケーションプログラムの起動ボタンを含む。制御部２０は、操作部２３に含まれる数字キー、カーソルボタン、決定ボタンの押下を検知し、入力された文字列、選択された各種項目を認識することが可能である。ユーザは、操作部２３により後述の撮像部２５におけるカメラ撮影、集音部における音声の入力を行なうことが可能である。
【００５２】
また、表示部２４には各種アプリケーションプログラムに対応するＧＵＩが制御部２０の処理により表示される。
【００５３】
撮像部２５は、レンズ群を通して撮像素子に入射された光を画像データに変換する。撮像部２５は、操作部２３におけるユーザの操作に基づいて制御部２０から送信される撮影指示を示す制御信号に応じて撮像処理を行ない、画像データに変換した後これを一時記憶領域２１へ出力する。制御部２０は、撮像部２５により撮像されて一時記憶領域２１へ出力された静止画像データ、動画像データを記憶部２２に記憶する。
【００５４】
集音部２６は、制御部２０からの指示を示す制御信号に応じて集音処理を行ない、音声データに変換した後これを一時記憶領域２１へ出力する。制御部２０は、集音部２６により集音されて一時記憶領域２１に出力された音声データを記憶部２２に記憶する。
【００５５】
アンテナ部２７は携帯型端末装置２ａが通信に用いる所定周波数の電波を送受信する。制御部２０は、アンテナ部２７によりメールの送受信、及び例えばＷｅｂサーバ装置１４へのアクセスが可能である。
【００５６】
ＧＰＳ受信部２８は、図示しないＧＰＳ衛星から夫々送信される電波から時刻情報を受信する。ＧＰＳ受信部２８は、一定時間が経過する都度、受信した時刻情報から携帯型端末装置２ａの位置情報として経緯度を計算し、制御部２０へ出力する機能を有している。制御部２０はＧＰＳ受信部２８から出力される信号により、携帯型端末装置２ａの位置情報（経緯度）を取得することが可能である。
【００５７】
制御部２０は、撮像部２５により撮像された静止画像データ、動画像データを記憶部２２に記憶するに際し、撮像された日付、時刻、及びＧＰＳ受信部２８により計算された経緯度を対応付けて記憶する。具体的には、静止画像データ、動画像データのファイル名を日付、時刻及び経緯度に基づく名前とする。例えば、２００７年９月１１日１５時３０分４３秒に、経度１３９度４４分４０．５０２秒、緯度３５度３９分１７．５１５秒の地点で撮影されたＪＰＥＧ（Joint Photographic Experts Group）形式の静止画像のファイル名は、20070911153043_1394440502_353917515.jpgとする。同様に制御部２０は、集音部２６により取得した音声データを記憶部２２に記憶するに際し、集音された日付、時刻及び経緯度を対応付けて記憶する。さらに、制御部２０は、生成された文書データを記憶部２２に記憶するに際し、生成された日付、時刻及び経緯度を対応付けて記憶してもよい。
【００５８】
なお、ファイル名を日付、時刻及び経緯度に基づく名前とするのみならず、記憶する静止画像データ、動画像データ、音声データ等のデータに、日付、時刻及び経緯度を含む各種情報を付加情報として付加して記憶する構成としてもよい。例えば、Ｅｘｉｆ（登録商標）規格に準じて付加情報をデータに付加する構成としてもよい。
【００５９】
対応付けられる付加情報として他には、撮像された又は集音された場所が屋内であるのか、屋外であるのか、又は地下であるのかについての情報が更に対応付けられて記憶される構成としてもよい。この場合、屋内であるのか、屋外であるのか又は地下であるのかの判別は、ＧＰＳ受信部２８により高さを計算することにより行なう。他には撮像部２５により撮像された静止画像が接写撮影（macro photography）により撮像されたのか否か等の撮影条件を示す情報が制御部２０により対応付けられてもよい。また、携帯型端末装置２ａに電子コンパスを備える構成とすることにより、撮影方向又は集音方向の方角の情報が制御部２０により対応付けられてもよい。
【００６０】
＜２−３．情報提供依頼装置＞
図４は、本実施の形態における情報提供依頼システムを構成する情報提供依頼装置３の内部構成を示すブロック図である。情報提供依頼装置３は、各構成部を制御するＣＰＵを利用した制御部３０と、ＤＲＡＭ、ＳＲＡＭ等の揮発性メモリを利用した一時記憶領域３１と、ハードディスクを利用した記憶部３２と、マウス、キーボード等を含む操作部３３と、液晶パネルを利用した表示部３４と、ネットワークカードを利用した通信部３５とを備える。情報提供依頼装置はＰＣのみならず、携帯型端末装置で構成されていてもよい。
【００６１】
制御部３０は、記憶部３２に記憶されている図示しないＯＳ（Operating System）、各種アプリケーションプログラムを含む制御プログラムを一時記憶領域３１に読み出して実行することにより、パーソナルコンピュータ装置を情報提供依頼装置３として動作させる。例えば、制御部３０は、制御プログラムを読み出して実行することにより、メール機能及びＷｅｂページのブラウザ機能を実現する。
【００６２】
一時記憶領域３１には、上述のように制御プログラムが読み出されると共に、制御部３０の処理によって発生する各種情報が一時的に記憶される。
【００６３】
操作部３３は、操作部３３が含むマウス、キーボードにより入力される情報を検知し、制御部３０へ通知する。制御部３０は、ユーザがマウス、キーボード等により、表示部３４で表示される操作画面、Ｗｅｂブラウザ画面等上で情報提供を必要とする事象の名前、種別、対価の条件等の情報を入力した場合、操作部３３によりこれを検知することが可能である。
【００６４】
表示部３４は、制御部３０からの制御信号を受け付け、制御部３０が制御プログラムを読み出して実行することにより出力される操作画面、Ｗｅｂブラウザ画面等を表示する。
【００６５】
通信部３５は、ネットワークＮ２を介した通信を実現する。制御部３０は、通信部３５によりメールの送受信及びサービスセンタ１におけるＷｅｂサーバ装置１４へのアクセスが可能である。
【００６６】
＜３．処理＞
このように構成される情報提供依頼システムにおいて、情報提供依頼サービスを実現するための各装置における処理について以下のように段階を分けて説明する。
【００６７】
１．ユーザ情報の登録
２．事象情報の登録
３．検索処理
４．情報提供
【００６８】
＜３−１．ユーザ情報の登録＞
本実施の形態では、ユーザは上述のように、携帯型端末装置２ａ，２ｂ，２ｃ，２ｄ，２ｅ，２ｆを利用してユーザ情報登録メールを送信するか、又はＷｅｂサーバ装置１４を介して情報を入力することにより情報提供依頼サービスへの参加を登録することが可能である。メールサーバ装置１３は、サービスセンタ１宛てにユーザ情報登録メールを受信した場合、受信したユーザ情報登録メールを事象情報管理装置１１へ送信する。また、Ｗｅｂサーバ装置１４は、ユーザ情報登録用のＷｅｂページを介してユーザ情報の登録を受け付けた場合、入力されたユーザ情報を事象情報管理装置１１へ送信する。
【００６９】
図５は、本実施の形態における情報提供依頼システムを構成する事象情報管理装置１１の制御部１１０がユーザ情報を受け付ける処理手順の一例を示すフローチャートである。
【００７０】
制御部１１０は、ユーザ情報登録メールを受信してメールからユーザ情報を読み出すか、Ｗｅｂサーバ装置１４から送信されるユーザ情報を受け付けることによりユーザ情報を受け付けたか否かを判断する（ステップＳ１１）。制御部１１０は、ユーザ情報を受け付けていないと判断した場合（Ｓ１１：ＮＯ）、処理をステップＳ１１へ戻してユーザ情報を受け付けたと判断するまで待機する。
【００７１】
制御部１１０は、ユーザ情報を受け付けたと判断した場合（Ｓ１１：ＹＥＳ）、ユーザ情報のテーブルを作成して事象情報ＤＢ１１４に記憶し（ステップＳ１２）、ユーザ情報を受け付ける処理を終了する。
【００７２】
図６は、本実施の形態における情報提供依頼システムを構成する事象情報管理装置１１の制御部１１０により記憶されるユーザ情報の内容例を示す説明図である。図６の説明図に示すように、ユーザ情報は、ユーザを識別するためのユーザＩＤ（Identification Data）と、ユーザの携帯型端末装置２ａ，２ｂ，２ｃ，２ｄ，２ｅ，２ｆにおけるメールアドレスと、情報を提供してもよい事象の種別と、事象のレベルとを含む。ユーザＩＤは、メールアドレスで代替されてもよい。なお、事象の種別として、事件のみについて情報提供が可能であるのか、災害のみについて情報提供が可能であるのか、又は両方について情報提供が可能であるのかが記憶される。また、情報提供が可能な事象のレベルとして、軽微な事象について情報提供が可能であるのか、中程度の事象について情報提供が可能であるのか、重要な事象について情報提供が可能であるのか、又は全てのレベルの事象について情報提供が可能であるのかが記憶される。
【００７３】
図６の説明図に示す内容例では、ユーザＩＤ「０００１２３４５」のユーザについては、軽微なレベルの事件のみについて情報提供が可能でり、ユーザＩＤ「０２３４５６７８」のユーザについては、全てのレベルの事件、災害についての情報提供が可能であるとユーザ情報ＤＢ１１４に記憶されていることが示されている。
【００７４】
このように、ユーザ情報が登録された場合のみ、そのユーザが所有する携帯型端末装置２ａ，２ｂ，２ｃ，２ｄ，２ｅ，２ｆへ情報提供依頼メールが送信される。つまり、自身が情報提供依頼サービスに参加していると自覚しているユーザの携帯型端末装置２ａ，２ｂ，２ｃ，２ｄ，２ｅ，２ｆのみで、後述のデータの検索が行なわれる。情報提供する意思を有していないユーザが所有する携帯型端末装置２ａ，２ｂ，２ｃ，２ｄ，２ｅ，２ｆでは、後述の記憶部２１に記憶されているデータの検索は行なわれない。このように、事前にユーザ情報の登録を受け付けることによって各ユーザの意思が尊重される。
【００７５】
＜３−２．事象情報の登録＞
情報提供依頼者は、上述のように情報提供依頼装置３を利用して依頼内容登録メールを送信するか、又はＷｅｂサーバ装置１４を介して情報を入力することによって情報提供依頼内容、即ち事象情報の登録を行なうことが可能である。メールサーバ装置１３は、サービスセンタ１宛てに依頼内容登録メールを受信した場合、受信した依頼内容登録メールを事象情報管理装置１へ送信する。また、Ｗｅｂサーバ装置１４は、依頼内容登録用のＷｅｂページを介して事象情報の登録を受け付けた場合、入力された事象情報を事象情報管理装置１１へ送信する。
【００７６】
図７は、本実施の形態における情報提供依頼システムを構成する事象情報管理装置１１の制御部１１０が事象情報を受け付ける処理手順の一例を示すフローチャートである。
【００７７】
制御部１１０は、依頼内容登録メールを受信してメールから事象情報を読み出すか、Ｗｅｂサーバ装置１４から送信される事象情報を受け付けることにより事象情報を受け付けたか否かを判断する（ステップＳ２１）。制御部１１０は、事象情報を受け付けていないと判断した場合（Ｓ２１：ＮＯ）、処理をステップＳ２１へ戻して事象情報を受け付けたと判断するまで待機する。
【００７８】
制御部１１０は、事象情報を受け付けたと判断した場合（Ｓ２１：ＹＥＳ）、事象情報のテーブルを作成して事象情報ＤＢ１１４に記憶し（ステップＳ２２）、事象情報を受け付ける処理を終了する。
【００７９】
図８は、本実施の形態における情報提供依頼システムを構成する事象情報管理装置１１の制御部１１０により記憶される事象情報の内容例を示す説明図である。図８の説明図に示すように事象情報には、事象毎に割り振られる事象ＩＤと、事象が発生した発生場所と、事象が発生した発生日時と、事象の内容を示すタイトルと、事象の種別と、事象のレベルと、事象についての情報提供の期限と、事象についての情報提供がされた場合の対価の参考額とが含まれている。事象ＩＤは、事象情報管理装置１１の制御部１１０が、事象情報を取得した場合に割り振る識別情報である。
【００８０】
なお、図８の説明図に示される内容例のように、事象情報には詳細内容が更に含まれていてもよい。詳細内容はＵＲＬ（Uniform Resource Locator）によって示されており、例えばユーザが当該ＵＲＬを取得した場合、ＵＲＬに基づいて事象の詳細内容が記載されたＷｅｂページを閲覧することが可能である。
【００８１】
図８の説明図における内容例では、Ａ県Ｂ市Ｃで、２００７年９月１日１５時３０分に発生した事件についての情報提供の依頼が情報提供依頼者によって登録されていることが示されている。なお、この事件には事象ＩＤとして「１０００１」が割り振られており、情報提供の期限は３０日と設定されている。
【００８２】
＜３−３．検索処理＞
事象情報管理装置１１の制御部１１０は、記憶部１１２の事象情報ＤＢ１１４に含まれる事象情報の情報依頼に応じて、情報提供が必要とされる事象についての情報を記憶している携帯型端末装置２ａ，２ｂ，２ｃ，２ｄ，２ｅ，２ｆのいずれかを検索する。なお、実際に事象についての情報を記憶しているか否かの判断は、事象情報管理装置１１から検索要求を受け付けた携帯型端末装置２ａ，２ｂ，２ｃ，２ｄ，２ｅ，２ｆにおける検索結果に基づいて判断する。
【００８３】
本実施の形態ではまず、事象情報管理装置１１は、事象が発生した時刻に、事象が発生した場所に存在した携帯型端末装置２ａ，２ｂ，２ｃ，２ｄ，２ｅ，２ｆを抽出する。携帯型端末装置２ａ，２ｂ，２ｃ，２ｄ，２ｅ，２ｆがいつ、いずれのエリアに存在したかは、在圏情報管理装置１２の在圏情報ＤＢ１２１でデータベース化されている。
【００８４】
図９は、本実施の形態における情報提供依頼システムを構成するサービスセンタ１で記憶される在圏情報の内容例を示す説明図である。携帯型端末装置２ａ，２ｂ，２ｃ，２ｄ，２ｅ，２ｆの在圏情報は、携帯型端末装置２ａ，２ｂ，２ｃ，２ｄ，２ｅ，２ｆがエリアＡ１，Ａ２，Ａ３を跨いだ場合、携帯型端末装置２ａ，２ｂ，２ｃ，２ｄ，２ｅ，２ｆの電源がオンとなった場合、所定時間が経過した場合等のタイミングで携帯型端末装置２ａ，２ｂ，２ｃ，２ｄ，２ｅ，２ｆがいずれのエリアに存在するかがアクセスポイントから送信される。そして、図９の説明図に示すように、携帯型端末装置２ａ，２ｂ，２ｃ，２ｄ，２ｅ，２ｆがいずれのエリアに存在したかが、時刻情報と共に履歴として在圏情報ＤＢ１２１に記憶される。
【００８５】
事象情報管理装置１１の制御部１１０は、図９の説明図に示した在圏情報ＤＢ１２１の内容の読み出しを在圏情報管理装置１２へ依頼することにより、事象が発生した時刻及びその場所に基づいてその場所に存在した履歴を有している携帯型端末装置２ａ，２ｂ，２ｃ，２ｄ，２ｅ，２ｆを抽出することが可能である。
【００８６】
図１０は、本実施の形態における情報提供依頼システムを構成する事象情報管理装置１１の制御部１１０が、事象に関する情報を記憶している携帯型端末装置２ａ，２ｂ，２ｃ，２ｄ，２ｅ，２ｆを検索する処理手順の一例を示すフローチャートである。
【００８７】
なお、事象情報管理装置１１の制御部１１０は、図７のフローチャートに示した事象情報の受け付け処理の終了後、長い時間を置くことなしに続けて以下に示す処理を行なうことが望ましい。また、事象情報管理装置１１の制御部１１０は、図７のフローチャートに示した処理によって事象情報を事象情報ＤＢ１１４に記憶した後、事象情報に含まれる期限が過ぎるまでの期間、例えば１日に１回の頻度で以下に示す処理を行なう構成としてもよい。
【００８８】
制御部１１０は、受け付けた事象情報に含まれる発生場所及び発生日時を読み出す（ステップＳ３０１）。制御部１１０は、読み出した発生場所及び発生日時に対応するエリア及び日時の履歴を有する携帯型端末装置２ａ，２ｂ，２ｃ，２ｄ，２ｅ，２ｆのユーザＩＤを在圏情報管理装置１２を介して在圏情報ＤＢ１２１から読み出す（ステップＳ３０２）。なおこのとき、事象の発生場所及び発生日時に対応するエリア及び日時の履歴を有する携帯型端末装置２ａ，２ｂ，２ｃ，２ｄ，２ｅ，２ｆのユーザＩＤが抽出されるに際しては、発生場所及び発生日時いずれに対しても所定の許容範囲内のエリア及び日時が対応すると判断される。また、制御部１１０が、発生場所をアクセスポイントＡＰ１，ＡＰ２，ＡＰ３のいずれかに予め対応させておくことが望ましい。
【００８９】
制御部１１０は、事象情報ＤＢ１１４に含まれるユーザ情報のテーブルを読み出す（ステップＳ３０３）。制御部１１０は、ステップＳ３０２で在圏情報ＤＢ１２１から読み出したユーザＩＤと、ステップＳ３０３で読み出したユーザ情報に含まれるユーザＩＤとで一致するユーザＩＤを抽出する（ステップＳ３０４）。ステップＳ３０４で抽出されるユーザＩＤに対応する携帯型端末装置２ａ，２ｂ，２ｃ，２ｄ，２ｅ，２ｆが、事象が発生した時刻近傍に、事象が発生した場所周辺に存在していた携帯型端末装置２ａ，２ｂ，２ｃ，２ｄ，２ｅ，２ｆである。
【００９０】
制御部１１０は、ステップＳ３０４で抽出されたユーザＩＤの内、受け付けた事象情報に含まれる事象のレベルが情報提供が可能な事象のレベルであるユーザＩＤを抽出する（ステップＳ３０５）。制御部１１０は、ステップＳ３０５で抽出されたユーザＩＤに対応する携帯型端末装置２ａ，２ｂ，２ｃ，２ｄ，２ｅ，２ｆへ検索要求を送信する（ステップＳ３０６）。
【００９１】
なお、ステップＳ３０６で制御部１１０により送信される検索要求には、事象情報に含まれる発生場所及び発生日時が含まれている。発生場所は経緯度に変換されていることが望ましい。また、検索要求には、静止画像、画像、音声が撮像された又は集音された場所が屋内であるのか、屋外であるのか、又は地下であるのかについての情報が含まれていてもよい。他に、撮影条件を示す情報が含まれていてもよい。
【００９２】
制御部１１０は、送信した検索要求に対する検索結果を受信したか否かを判断する（ステップＳ３０７）。制御部１１０は、検索結果を受信していないと判断した場合（Ｓ３０７：ＮＯ）、処理をステップＳ３０７へ戻して検索結果を受信したと判断するまで待機する。制御部１１０は、検索結果を受信したと判断した場合（Ｓ３０７：ＹＥＳ）、検索結果に示される、一致するデータの有無に基づき、検索結果の送信元の携帯型端末装置２ａ，２ｂ，２ｃ，２ｄ，２ｅ，２ｆが事象に関するデータを記憶しているか否かを判断する（ステップＳ３０８）。制御部１１０は、事象に関するデータを記憶していると判断した場合（Ｓ３０８：ＹＥＳ）、送信元の携帯型端末装置２ａ，２ｂ，２ｃ，２ｄ，２ｅ，２ｆに対応するユーザＩＤを事象ＩＤと対応付けて記憶し（ステップＳ３０９）、後述のステップＳ３１０へ処理を進める。
【００９３】
制御部１１０は、ステップＳ３０８において事象に関するデータを記憶していないと判断した場合（Ｓ３０８：ＮＯ）、そのまま次のステップＳ３１０へ処理を進める。
【００９４】
制御部１１０は、全検索結果を受信したか否かを判断し（ステップＳ３１０）、全検索結果を受信していないと判断した場合（Ｓ３１０：ＮＯ）、処理をステップＳ３０７へ戻す。制御部１１０は、全検索結果を受信したと判断した場合（Ｓ３１０：ＹＥＳ）、事象に関する情報を記憶している携帯型端末装置２ａ，２ｂ，２ｃ，２ｄ，２ｅ，２ｆを検索する処理を終了する。
【００９５】
次に、事象情報管理装置１１が行なう図１０のフローチャートに示した処理に対し、各携帯型端末装置２ａ，２ｂ，２ｃ，２ｄ，２ｅ，２ｆで行なわれる処理について説明する。図１１は、本実施の形態における情報提供依頼システムを構成する携帯型端末装置２ａの制御部２０が、検索要求に応じて事象に関するデータを検索する処理手順の一例を示すフローチャートである。他の携帯型端末装置２ｂ，２ｃ，２ｄ，２ｅ，２ｆの制御部２０夫々の処理手順は、携帯型端末装置２ａの制御部２０による処理手順と同様であるので詳細な説明を省略する。
【００９６】
制御部２０は、アンテナ部２７により検索要求を受信し（ステップＳ４１）、記憶部２１に記憶されている静止画像、動画像、音声、文書等のデータに付加されている付加情報を読み出す（ステップＳ４２）。
【００９７】
制御部２０は、読み出した付加情報に基づいて、検索要求に含まれる発生日時と所定の許容範囲で一致する日時が付加されているデータが有るか否かを判断する（ステップＳ４３）。制御部２０は、検索要求に含まれる発生日時と一致する日時が付加されているデータが有ると判断した場合（Ｓ４３：ＹＥＳ）、検索要求に含まれる発生場所と所定の許容範囲で一致する位置情報が付加されているデータが有るか否かを判断する（ステップＳ４４）。制御部２０は、検索要求に含まれる発生場所と一致する位置情報が付加されているデータが有ると判断した場合（Ｓ４４：ＹＥＳ）、検索要求に他に検索条件が含まれているときには、その他の検索条件に一致するデータが有るか否かを判断する（ステップＳ４５）。なお、その他の検索条件が検索要求に含まれていない場合は、ステップＳ４５の処理は省略される。
【００９８】
制御部２０は、その他の検索条件に一致するデータが有ると判断した場合（Ｓ４５：ＹＥＳ）、一致するデータが有ることを示す検索結果を事象情報管理装置１１へアンテナ部２７により送信し（ステップＳ４６）、検索処理を終了する。
【００９９】
制御部２０は、検索要求に含まれる発生日時と一致する日時が付加されているデータが無いと判断した場合（Ｓ４３：ＮＯ）、発生場所と一致する位置情報が付加されているデータが無いと判断した場合（Ｓ４４：ＮＯ）、及びその他の検索条件に一致するデータが無いと判断した場合（Ｓ４５：ＮＯ）、一致するデータが無いことを示す検索結果を事象情報管理装置１１へアンテナ部２７により送信し（Ｓ４７）、検索処理を終了する。
【０１００】
なお、ステップＳ４４で発生場所と所定の許容範囲で一致する位置情報が付加されているデータがあるか否かを判断する際に、データに方角の情報が対応付けられている場合には、これに基づいてＧＰＳ受信部２８により取得された経緯度及び方角の情報に基づいて、発生場所の方向を向いて撮影された又は集音された静止画像データ、動画像データ、音声データがあるか否かを判断するようにしてもよい。
【０１０１】
このように、図１０のフローチャートに示した処理が行なわれた結果、事象ＩＤに対応付けて記憶されているユーザＩＤに対応する携帯型端末装置２ａ，２ｂ，２ｃ，２ｄ，２ｅ，２ｆが、事象に関するデータを記憶している可能性の高い携帯型端末装置２ａ，２ｂ，２ｃ，２ｄ，２ｅ，２ｆとして検索される。
【０１０２】
なお、事象情報管理装置１１の制御部１１０は、検索要求を送信することによって、各携帯型端末装置２ａ，２ｂ，２ｃ，２ｄ，２ｅ，２ｆに検索処理を実行させ、検索結果を受信して事象に関する情報を記憶している携帯型端末装置２ａ，２ｂ，２ｃ，２ｄ，２ｅ，２ｆを検索する構成とした。しかしながら、本発明はこれに限らず、事象情報管理装置１１の制御部１１０が、携帯型端末装置２ａ，２ｂ，２ｃ，２ｄ，２ｅ，２ｆの記憶部２１に記憶されている静止画像データ、動画像データ、音声データ、文書データ等のデータに付加されている付加情報を読み出し、発生日時及び発生場所その他の検索条件に合致するデータの有無を判断することによって検索処理を行なう構成としてもよい。ただし、各携帯型端末装置２ａ，２ｂ，２ｃ，２ｄ，２ｅ，２ｆで検索処理を実行させる構成とすることにより、携帯型端末装置２ａ，２ｂ，２ｃ，２ｄ，２ｅ，２ｆが多数であっても事象情報管理装置１１の制御部１１０の処理の負荷が低減される。
【０１０３】
図１２は、本実施の形態における情報提供依頼システムを構成する事象情報管理装置１１の制御部１１０が、検索された携帯型端末装置２ａ，２ｂ，２ｃ，２ｄ，２ｅ，２ｆへ情報提供依頼を通知する処理手順の一例を示すフローチャートである。
【０１０４】
制御部１１０は、事象ＩＤに対応付けて記憶されているユーザＩＤを読み出し（ステップＳ５１）、読み出したユーザＩＤに対応するメールアドレスを宛て先として、ユーザＩＤに対応する携帯型端末装置２ａ，２ｂ，２ｃ，２ｄ，２ｅ，２ｆへ情報提供依頼メールを送信し（ステップＳ５２）、処理を終了する。
【０１０５】
なお、制御部１１０は情報提供依頼メールを送信するに際し、事象情報ＤＢ１１４の事象情報のテーブルに含まれる事象ＩＤ、発生場所、発生日時、事象のタイトル、事象の詳細内容、期限、参考となる対価の額（図８参照）を読み出して情報提供依頼メールの内容とする。
【０１０６】
なお、各携帯型端末装置２ａ，２ｂ，２ｃ，２ｄ，２ｅ，２ｆは、事象情報管理装置１１から送信される検索要求をきっかけとするのみならず、携帯型端末装置２ａ，２ｂ，２ｃ，２ｄ，２ｅ，２ｆがニュース配信サービスと連動して、ニュースを受信した場合に当該ニュースについての位置情報等を取得して検索を行なう構成としてもよい。この場合、ニュース配信サービスで配信されるニュースには、事象ＩＤ、事象の発生場所及び発生時刻が付加されているとしてもよいし、携帯型端末装置２ａ，２ｂ，２ｃ，２ｄ，２ｅ，２ｆ自身で事象ＩＤ、発生場所及び発生日時についての問い合わせ処理を行なう構成でもよい。そしてこの場合、事象情報管理装置１１は、携帯型端末装置２ａ，２ｂ，２ｃ，２ｄ，２ｅ，２ｆで検索されたデータを受信し、受信したデータに対応する事象と、情報提供依頼者から情報提供が必要とされている事象とを事象ＩＤによって対応付ける。これにより、事象情報管理装置１１は、情報提供を必要としている事象について情報を記憶している携帯型端末装置２ａ，２ｂ，２ｃ，２ｄ，２ｅ，２ｆを抽出することが可能である。
【０１０７】
＜３−４．情報提供＞
情報提供依頼サービスに参加を登録しているユーザは、情報提供依頼メールを受信した場合、自身が本当に情報を有しており情報提供に同意するときには、サービスセンタ１へ情報提供メールを送信するか、又はＷｅｂサーバ装置１４へアクセスするかの方法によって実際に情報を提供する。このとき、ユーザは、事象ＩＤと共に実際に自身が所有する携帯型端末装置２ａ，２ｂ，２ｃ，２ｄ，２ｅ，２ｆに記憶されている静止画像データ、動画像データ、音声データ等のデータを携帯型端末装置２ａ，２ｂ，２ｃ，２ｄ，２ｅ，２ｆを利用して送信する。ユーザは、目撃情報を文書にした文書データを共に送信してもよい。
【０１０８】
情報提供依頼メールに応じて提供される情報は、メールサーバ装置１３又はＷｅｂサーバ装置１４を介して事象情報管理装置１１へ送信される。事象情報管理装置１１は、提供された情報を実績として記憶し、情報提供依頼者へ依頼に応じた情報提示を行なう。
【０１０９】
図１３は、本実施の形態における情報提供依頼システムを構成する事象情報管理装置１１の制御部１１０が携帯型端末装置２ａ，２ｂ，２ｃ，２ｄ，２ｅ，２ｆから情報提供を受けた場合の処理手順の一例を示すフローチャートである。
【０１１０】
制御部１１０は、情報提供メールをメールサーバ装置１３を介して受信したか、又はＷｅｂサーバ装置１４を介して入力された情報を受信したかにより、ユーザからの情報提供があったか否かを判断する（ステップＳ６１）。制御部１１０は、ユーザからの情報提供がないと判断した場合（Ｓ６１：ＮＯ）、処理をステップＳ６１へ戻す。
【０１１１】
制御部１１０は、ユーザからの情報提供があったと判断した場合（Ｓ６１：ＹＥＳ）、ユーザの携帯型端末装置２ａ，２ｂ，２ｃ，２ｄ，２ｅ，２ｆから送信された事象ＩＤに対応付けて、共に送信された提供されたデータを実績として記憶する（ステップＳ６２）。このとき制御部１１０は、提供されたデータを識別するために提供情報ＩＤを割り振って記憶する。また、制御部１１０は、提供元のユーザのユーザＩＤを参照してメールアドレスを読み出して対応付け、更に情報が提供された時刻を対応付けて記憶する。
【０１１２】
制御部１１０は、提供されたデータ及び目撃情報の概要を内容とし、提供された情報を識別するための提供情報ＩＤを含むメールを事象ＩＤに対応する情報提供依頼者の情報提供依頼装置３へ送信し（ステップＳ６３）、情報提供があった場合の処理を終了する。
【０１１３】
ステップＳ６３で送信されるメールは、Ｗｅｂページへのリンクを含んでいるのみの構成でもよい。事象情報管理装置１１の制御部１１０は、提供情報ＩＤと、提供されたデータ、例えば静止画像データの解像度を落としたサムネイルとを含むＷｅｂページを生成してＷｅｂサーバ装置１４へ送信してもよい。この場合、情報提供依頼者は、情報提供依頼装置３のＷｅｂブラウザ機能により、事象ＩＤで対応付けられたＷｅｂページを閲覧し、提供された情報の内容を静止画像のサムネイルの一覧により確認して有効な情報であるか否かを精査して対価を支払うか否かを判断することができる。
【０１１４】
制御部１１０は、図１３のフローチャートに示す処理を、事象毎に設定されている期限が経過するまで繰り返し実行する。
【０１１５】
図１４は、本実施の形態における情報提供依頼システムを構成する事象情報管理装置１１の制御部１１０によって記憶される実績情報の内容例を示す説明図である。
【０１１６】
図１４の説明図に示すように、情報提供があった場合には、事象情報管理装置１１の制御部１１０によって実績情報には提供情報ＩＤが割り振られ、いずれの事象についての情報提供であるかを示すために事象ＩＤが対応付けられている。なお、事象ＩＤは、携帯型端末装置２ａ，２ｂ，２ｃ，２ｄ，２ｅ，２ｆを利用して送信される情報提供メール、又はＷｅｂサーバ装置１４を介して入力される情報に含まれている。また、実績情報は、いずれのユーザから提供されたかを示すための送信元の携帯型端末装置２ａ，２ｂ，２ｃ，２ｄ，２ｅ，２ｆに対応するユーザＩＤと、実際に提供された情報として動画像データ、静止画像データ、音声データ、文書データ等のデータのファイル名と、提供された日時を示す提供日時とを含んでいる。実際に提供されたデータ及び提供日時を記憶しておくことにより、事後的に情報提供依頼者が使用したデータとの比較が可能であり、ユーザからの情報提供に対する対価の支払いが保証される。
【０１１７】
図１４の説明図に示される内容例では、ユーザＩＤ「０１０００００１」のユーザから、２００７年９月１１日８時３０分に、事象ＩＤ「２００１２」の火災について動画像が提供されたことが示されており、提供情報ＩＤとして「０００１」が割り振られていることが示されている。
【０１１８】
次に、情報提供依頼者は、メールを受信するか又はＷｅｂページを閲覧することによって提供されたデータの概要を精査する。情報提供依頼者は、提供された複数のデータの内に有効な情報があると判断した場合、そのデータに対応する提供情報ＩＤと共に、そのデータが有効であり、採用するので対価を支払うことを示す有効通知を情報提供依頼装置３を利用して送信する。このとき、有効通知の送信は、ユーザが操作部３３を介して有効と判断した提供情報ＩＤを示すメールを送信するか、又は、表示部３４で表示されるＷｅｂページに選択を受け付けるインタフェースを有する構成とし、ユーザが操作部３３により選択することによってなされる。以下に、情報提供依頼者によって情報提供依頼装置３から有効通知が送信された場合の事象情報管理装置１１における処理について説明する。
【０１１９】
図１５は、本実施の形態における情報提供依頼システムを構成する事象情報管理装置１１の制御部１１０が、有効通知を受信した場合の処理手順の一例を示すフローチャートである。
【０１２０】
制御部１１０は、情報提供依頼装置３から有効通知を受信したか否かを判断する（ステップＳ７１）。制御部１１０は、有効通知を受信していないと判断した場合（Ｓ７１：ＮＯ）、処理をステップＳ７１へ戻す。
【０１２１】
制御部１１０は、有効通知を受信したと判断した場合（Ｓ７１：ＹＥＳ）、有効通知に含まれている提供情報ＩＤに対応付けて対価を記憶し（ステップＳ７２）、処理を終了する。
【０１２２】
ステップＳ７２において記憶される対価は、事象情報のテーブルに含まれる参考額及び期限と、実際に提供された日時との関係から制御部１１０により自動的に算出される構成としてもよい。また、有効通知に実際に支払われる対価が含まれている構成としてもよい。
【０１２３】
図１６は、本実施の形態における情報提供依頼システムを構成する事象情報管理装置１１の制御部１１０によって対価が記憶される実績情報の内容例を示す説明図である。
【０１２４】
図１６の説明図に示すように、有効通知を受信した場合には制御部１１０により、提供情報ＩＤと、事象ＩＤと、ユーザＩＤと、提供日時とを含む実績情報に対価が追加される。図１６の説明図に示す内容例に含まれる対価は、図１４の説明図に示された内容例に示される実績情報のテーブルに追加されるとしてもよい。提供情報ＩＤに更に、事象ＩＤ及び提供日時をも対応付けておくことにより、対価がいずれのデータに対して支払われたか否かをユーザへ明示することが可能になる。
【０１２５】
このように、提供された情報に対して支払われる対価についても管理することができ、情報提供依頼メールを送信する携帯型端末装置２ａ，２ｂ，２ｃ，２ｄ，２ｅ，２ｆを検索するのみならず、提供された実績、対価が支払われた実績を含めてサービスセンタ１で総合的に管理することができる。
【０１２６】
その後、実際に情報提供依頼者が事象に関するデータを入手するには、対価が支払われた後にサービスセンタ１からデータが情報提供依頼者へメールが送信されるか、又はＷｅｂぺージを介してデータがダウンロード可能になるか等の方法によって自動的に送信される構成としてもよい。また、事象情報管理装置１１の制御部１１０が、有効通知を受信した場合、有効通知に含まれる提供情報ＩＤに対応するユーザＩＤを特定し、ユーザＩＤで識別されるユーザの携帯型端末装置２ａ，２ｂ，２ｃ，２ｄ，２ｅ，２ｆへ再度メールを送信するなどの方法によって、以後は情報提供依頼者と直接交渉するように知らせる構成としてもよい。
【０１２７】
なお、上述の実施の形態に示したようにサービスセンタ１を構成する事象情報管理装置１１、在圏情報管理装置１２、メールサーバ装置１３及びＷｅｂサーバ装置１４は、各機能に応じて夫々一のサーバコンピュータ装置によって構成されるとした。しかしながら、本発明はこれに限らず、各装置の機能を全て実現する一台のサーバコンピュータ装置によって構成されるとしてもよい。また、ユーザ情報管理装置１１、在圏情報管理装置１２、及び検索装置１３は夫々、自身の機能に関連の高い事象情報ＤＢ１１４、在圏情報ＤＢ１２１を夫々記憶部に記憶する構成とした。しかしながら、本発明はこれに限らず、事象情報ＤＢ１１４、在圏情報ＤＢ１２１を夫々記憶しておき、各データベースの読み書きを行なうＤＢサーバ装置を含んで構成してもよい。本実施の形態に示したシステム構成は例示であり、情報提供依頼サービスの各機能の主体を各装置に限定するものではない。
【０１２８】
なお、本実施の形態に示した情報提供依頼システムを構成する事象情報管理装置１１は、在圏情報ＤＢ１２１に基づき、事象が発生した時刻及び近傍に、事象が発生した場所及びその周辺に存在した携帯型端末装置２ａ，２ｂ，２ｃ，２ｄ，２ｅ，２ｆを抽出した上で、抽出された携帯型端末装置２ａ，２ｂ，２ｃ，２ｄ，２ｅ，２ｆの内から実際にデータを記憶している携帯型端末装置２ａ，２ｂ，２ｃ，２ｄ，２ｅ，２ｆを検索する構成とした。しかしながら、本発明はこれにかぎらず、在圏情報ＤＢ１２１に基づいて抽出する処理を行なわずに、ユーザ情報が登録されている携帯型端末装置２ａ，２ｂ，２ｃ，２ｄ，２ｅ，２ｆへ検索要求を送信する構成としてもよい。
【０１２９】
さらに、サービスセンタ１、又は情報提供依頼装置３のいずれかがない構成でも情報提供依頼システムを実現することができる。各ユーザが例えば情報依頼提供者に対する情報提供が可能である場合に、情報提供依頼装置３がメールを受信するか、又はＷｅｂサービスを介して、直接的に情報提供依頼装置３でユーザ情報の登録を行ない、情報提供依頼装置３が事象情報管理装置１１と同様の処理を実行することにより、登録されたユーザの携帯型端末装置２ａ，２ｂ，２ｃ，２ｄ，２ｅ，２ｆ夫々について事象情報に対応するデータが記憶されているかを検索させる検索要求を送信してもよい。また、情報提供依頼装置３がない構成の場合には、情報提供依頼者から事象情報の提供依頼を受け付けることなく、サービスセンタ１で事象情報を例えばニュースから取得し、自動的に事象情報に対応する携帯型端末装置２ａ，２ｂ，２ｃ，２ｄ，２ｅ，２ｆを抽出して情報提供依頼メールを送信する処理を行なうとしてもよい。
【０１３０】
また、個人情報の問題がない場合は、情報提供依頼者が直接事象情報管理装置１１を利用して携帯型端末装置２ａ，２ｂ，２ｃ，２ｄ，２ｅ，２ｆを検索することが可能な構成としてもよい。また、情報提供依頼装置３が各携帯型端末装置２ａ，２ｂ，２ｃ，２ｄ，２ｅ，２ｆの在圏情報を取得することが可能である場合、情報提供依頼装置３で予め事象が発生した時刻にその現場周辺に存在した携帯型端末装置２ａ，２ｂ，２ｃ，２ｄ，２ｅ，２ｆを抽出して検索を行なわせる構成としてもよい。
【０１３１】
また、事象情報管理装置１１の制御部１１０は、図１２のフローチャートに示した処理によってサービスセンタ１から自動的に情報提供依頼メールが送信される前に、情報提供依頼者に対応する処理として以下に示すように検索結果を提示する処理を行なう構成としてもよい。
【０１３２】
図１０のフローチャートに示した事象情報管理装置１１の制御部１１０の処理により、情報提供依頼があった事象についての静止画像、動画像、音声等のデータを記憶している可能性の高い携帯型端末装置２ａ，２ｂ，２ｃ，２ｄ，２ｅ，２ｆが抽出される。そして、抽出された携帯型端末装置２ａ，２ｂ，２ｃ，２ｄ，２ｅ，２ｆに対応するユーザＩＤが、事象ＩＤに対応付けられて記憶されている。
【０１３３】
事象情報管理装置１１の制御部１１０は、検索結果をメールにて情報提供依頼装置３へ送信するか、又はＷｅｂページによって情報提供依頼装置３を介して検索結果の閲覧が可能なようにする。検索結果には、事象ＩＤ毎に情報提供の可能性の高い携帯型端末装置２ａ，２ｂ，２ｃ，２ｄ，２ｅ，２ｆの数が示されている。情報提供依頼者は例えば、情報提供依頼装置３を利用して情報提供依頼サービスにログインし、事象ＩＤについての情報を閲覧し、有力な情報を記憶している可能性が高い携帯型端末装置２ａ，２ｂ，２ｃ，２ｄ，２ｅ，２ｆが検索されたか否かをチェックすることが可能である。この時点で、情報提供依頼者が直接、可能性が高い携帯型端末装置２ａ，２ｂ，２ｃ，２ｄ，２ｅ，２ｆへメールを送信することができる構成としてもよい。
【０１３４】
以上の実施の形態に関し更に、以下の付記を開示する。
【０１３５】
（付記１）
複数の外部装置とデータ通信を行なう通信手段と、
事象が発生したことを受け付ける事象取得手段と、
該事象取得手段にて事象の発生を受け付けた際に、前記事象が発生した場所の位置情報及び事象が発生した時刻の時刻情報を含む事象情報を記憶している外部装置を検索する検索手段と
を備えることを特徴とする検索装置。
【０１３６】
（付記２）
前記検索手段は更に、事象が発生した時刻に事象が発生した場所に存在した外部装置のみを検索する機能を備えること
を特徴とする付記１に記載の検索装置。
【０１３７】
（付記３）
外部装置へ前記事象情報と共に検索要求を送信する手段と、
前記検索要求に対する検索結果を受け付ける手段と
を備え、
前記検索手段は、前記検索結果に基づいて前記事象に関する情報を記憶している外部装置を検索するようにしてあること
を特徴とする付記１又は２に記載の検索装置。
【０１３８】
（付記４）
前記検索要求は、前記事象情報に含まれる位置情報に示される場所で、前記事象情報に含まれる時刻情報に示される時刻に生成された情報を検索させる検索要求であること
を特徴とする付記３に記載の検索装置。
【０１３９】
（付記５）
データ通信可能に接続された携帯型端末装置と検索装置とを備えた情報提供依頼システムにおいて、
前記携帯型端末装置は、事象に関する情報を記憶する記憶媒体を備え、
前記検索装置は、
前記事象が発生した場所の位置情報及び事象が発生した時刻の時刻情報を含む事象情報を取得する手段と、
前記事象情報に基づき、前記事象に関する情報を記憶している携帯型端末装置を検索する検索手段と、
該検索手段が検索した携帯型端末装置へ情報提供依頼を通知する通知手段と
を備えていること
を特徴とする情報提供依頼システム。
【０１４０】
（付記６）
前記検索装置は、前記複数の携帯型端末装置へ前記事象情報と共に検索要求を送信する手段を備え、
前記携帯型端末装置は、
前記検索装置から検索要求を受信することにより前記事象情報を取得する手段と、
取得した事象情報に対応する情報を自身の記憶媒体から検索する手段と、
検索結果を送信する手段と
を備え、
前記検索装置は更に、
前記携帯型端末装置から検索結果を受け付ける手段を備え、
前記検索手段は、受け付けた検索結果に基づいて前記事象に関する情報を記憶している携帯型端末装置を検索するようにしてあること
を特徴とする付記５に記載の情報提供依頼システム。
【０１４１】
（付記７）
検索装置により検索された携帯型端末装置へ情報提供依頼を通知する情報提供依頼方法において、
前記検索装置は、
前記事象が発生した場所の位置情報及び事象が発生した時刻の時刻情報を含む事象情報を取得し、
前記事象情報に基づき、前記事象に関する情報を記憶している携帯型端末装置を検索し、
前記検索装置が検索した携帯型端末装置へ情報提供依頼を通知する
ことを特徴とする情報提供依頼方法。
【０１４２】
（付記８）
複数の外部装置とデータ通信が可能なコンピュータを、
事象が発生したことを受け付ける事象取得手段、
該事象取得手段にて事象の発生を受け付けた際に、前記事象が発生した場所の位置情報及び事象が発生した時刻の時刻情報を含む事象情報を取得する手段、及び、
前記事象情報に基づき、前記事象に関する情報を記憶している外部装置を検索する検索手段
として機能させることを特徴とするコンピュータプログラム。
【図面の簡単な説明】
【０１４３】
【図１】本実施の形態における情報提供依頼システムの概要を示す模式図である。
【図２】本実施の形態における情報提供依頼システムを構成するサービスセンタの構成を示すブロック図である。
【図３】本実施の形態における情報提供依頼システムを構成する携帯型端末装置の内部構成を示すブロック図である。
【図４】本実施の形態における情報提供依頼システムを構成する情報提供依頼装置の内部構成を示すブロック図である。
【図５】本実施の形態における情報提供依頼システムを構成する事象情報管理装置の制御部がユーザ情報を受け付ける処理手順の一例を示すフローチャートである。
【図６】本実施の形態における情報提供依頼システムを構成する事象情報管理装置の制御部により記憶されるユーザ情報の内容例を示す説明図である。
【図７】本実施の形態における情報提供依頼システムを構成する事象情報管理装置の制御部が事象情報を受け付ける処理手順の一例を示すフローチャートである。
【図８】本実施の形態における情報提供依頼システムを構成する事象情報管理装置の制御部により記憶される事象情報の内容例を示す説明図である。
【図９】本実施の形態における情報提供依頼システムを構成するサービスセンタで記憶される在圏情報の内容例を示す説明図である。
【図１０】本実施の形態における情報提供依頼システムを構成する事象情報管理装置の制御部が、事象に関する情報を記憶している携帯型端末装置を検索する処理手順の一例を示すフローチャートである。
【図１１】本実施の形態における情報提供依頼システム構成する携帯型端末装置の制御部が、検索要求に応じて事象に関するデータを検索する処理手順の一例を示すフローチャートである。
【図１２】本実施の形態における情報提供依頼システムを構成する事象情報管理装置の制御部が、検索された携帯型端末装置へ情報提供依頼を通知する処理手順の一例を示すフローチャートである。
【図１３】本実施の形態における情報提供依頼システムを構成する事象情報管理装置の制御部が携帯型端末装置から情報提供を受けた場合の処理手順の一例を示すフローチャートである。
【図１４】本実施の形態における情報提供依頼システムを構成する事象情報管理装置の制御部によって記憶される実績情報の内容例を示す説明図である。
【図１５】本実施の形態における情報提供依頼システムを構成する事象情報管理装置の制御部が、有効通知を受信した場合の処理手順の一例を示すフローチャートである。
【図１６】本実施の形態における情報提供依頼システムを構成する事象情報管理装置の制御部によって対価が記憶される実績情報の内容例を示す説明図である。
【符号の説明】
【０１４４】
１  サービスセンタ
１１  事象情報管理装置（検索装置）
１１０  制御部
１１４  事象情報ＤＢ
１１Ｐ  制御プログラム
１２１  在圏情報ＤＢ
２ａ，２ｂ，２ｃ，２ｄ，２ｅ，２ｆ  携帯型端末装置
２０  制御部
２５  撮像部
２６  集音部
２８  ＧＰＳ受信部
３  情報提供依頼装置
３０  制御部
【図１】
0005181616.tif 000002
【図２】
0005181616.tif 000003
【図３】
0005181616.tif 000004
【図４】
0005181616.tif 000005
【図５】
0005181616.tif 000006
【図６】
0005181616.tif 000007
【図７】
0005181616.tif 000008
【図８】
0005181616.tif 000009
【図９】
0005181616.tif 000010
【図１０】
0005181616.tif 000011
【図１１】
0005181616.tif 000012
【図１２】
0005181616.tif 000013
【図１３】
0005181616.tif 000014
【図１４】
0005181616.tif 000015
【図１５】
0005181616.tif 000016
【図１６】
0005181616.tif 000017